(57)【要約】【課題】相手側コネクタとの嵌合時にゴムリングに捲れあがりが生じるのを防止する。【解決手段】ゴムリング４１を備えた防水コネクタ１０において、コネクタハウジング１１の内筒部１３の外周面におけるゴムリング装着部１３ａの端部に段部１３ｃを形成する一方、ゴムリング４１の先端に内方へ一体突設した保持片４１ｃを設ける。そして、内筒部１３の先端部に装着されるリテーナ２１と段部１３ｃとの間でゴムリング４１の保持片４１ｃを挟持することで、ゴムリング４１先端の捲れ上がりが防止される。【選択図】  図４
2004241155.tif 000002
【特許請求の範囲】
【請求項１】
端子金具を収容可能なキャビティを備えた内筒部と、該内筒部の外周方向を覆うフード部とを備えたコネクタハウジングと、上記内筒部の外周面に装着されると共に、上記フード部と内筒部との間の間隙部に挿入される相手側コネクタの外筒部の内面に密着するリップ部を備えたゴムリングと、上記内筒部の前端部から基部へ向けて移動させることで装着されて上記端子金具を抜け止め状態とするリテーナとを備えた防水コネクタにおいて、
上記内筒部の外周面におけるゴムリング装着部に段部を形成する一方、上記ゴムリングの先端に内方へ突出する保持片を一体突設し、該保持片を上記リテーナと段部との間で挟持するようにしたことを特徴とする防水コネクタ。
【請求項２】
上記リテーナは上記内筒部の外周に嵌合する胴部を有すると共に、上記胴部における上記ゴムリングとの対向端部には上記保持片に当接する押圧面と、上記ゴムリングの先端部外周に係合すべく上記押圧面の外周から外方へ突出する鍔部とを設けている請求項１に記載の防水コネクタ。
【請求項３】
上記鍔部は上記ゴムリングの先端部外周を全周にわたって覆うように周設されている請求項２に記載の防水コネクタ。
【発明の詳細な説明】
【０００１】
【発明の属する技術分野】
本発明は防水コネクタに関し、詳しくは、相手側コネクタとの嵌合時におけるゴムリングの捲れ防止を図るものである。
【０００２】
【従来の技術】
図６（Ａ）は、ゴムリング２を用いた防水コネクタ１の一般的構造を示し、このゴムリング２は、一方のコネクタハウジング３において、端子金具Ｔを収容する内筒部３ａの外周に装着されている。そして、内筒部３ａと外周のフード部３ｂとの間の隙間に他方のコネクタハウジング４における外筒部４ａが挿入されたとき、この外筒部４ａと内筒部３ａとの間にゴムリング２が介在されることにより、コネクタハウジング３、４間がシールされるようになっている。このような一般的構造を有する防水コネクタとしては例えば特許文献１に記載のものが知られている。
【０００３】
【特許文献１】
特開２００２−２８０１０８号公報
【０００４】
【発明が解決しようとする課題】
ゴムリング２は、図６（Ｂ）に示すように、円環状をなすと共に、その内周および外周にリップ部２ａ、２ｂを備え、コネクタハウジング３の内筒部３ａの外周面に密着するようにして装着されている。そして、端子金具Ｔを二重係止するために内筒部３ａに装着されるリテーナ５の端面によってゴムリング２の抜け止めがなされている。ところが、一方のコネクタハウジング３に他方のコネクタハウジング４を嵌合させるに際し、外筒部４ａが傾いた状態で嵌合されることがある。このような場合、図６（Ｃ）に示すように、外筒部４ａの先端がゴムリング２の中間部を押圧する状態となるため、ゴムリング２の先端部が捲れあがったり、位置ずれして変形したりするという問題がある。このような状態になると、ゴムリング２によるシール効果が損なわれるという懸念があった。
【０００５】
本発明は、上記した問題に鑑みてなされたものであり、相手側コネクタとの嵌合時にゴムリングに捲れが生じ得るような方向の押圧が作用しても、ゴムリングの捲れを防止できるようにすることを課題としている。
【０００６】
【課題を解決するための手段】
上記課題を解決するために、本発明は、端子金具を収容可能なキャビティを備えた内筒部と、該内筒部の外周方向を覆うフード部とを備えたコネクタハウジングと、上記内筒部の外周面に装着されると共に、上記フード部と内筒部との間の間隙部に挿入される相手側コネクタの外筒部の内面に密着するリップ部を備えたゴムリングと、上記内筒部の前端部から基部へ向けて移動させることで装着されて上記端子金具を抜け止め状態とするリテーナとを備えた防水コネクタにおいて、  上記内筒部の外周面におけるゴムリング装着部に段部を形成する一方、上記ゴムリングの先端に内方へ突出する保持片を一体突設し、該保持片を上記リテーナと段部との間で挟持するようにしたことを特徴とする防水コネクタを提供している。
【０００７】
上記構成によれば、内筒部の外周に装着されたゴムリングは、その先端に突設した保持片が内筒部の段部とリテーナとの間に挟持されているので、相手側コネクタの外筒部によってこじられても先端部が捲れ上がることがない。
【０００８】
更に、上記リテーナは上記内筒部の外周に嵌合する胴部を有すると共に、上記胴部における上記ゴムリングとの対向端部には上記保持片に当接する押圧面と、上記ゴムリングの先端部外周に係合すべく上記押圧面の外周から外方へ突出する鍔部とを設けるのが好ましい。これによれば、リテーナの押圧面によりゴムリング先端の保持片を押圧して段部との間で挟持できると同時に、リテーナの鍔部がゴムリング先端を外方から覆う状態となるので、外力によるゴムリングの捲れ防止をより一層効果的にすることができる。
【０００９】
上記鍔部は上記ゴムリングの先端部外周を全周にわたって覆うように周設するのが好ましい。このようにすれば、ゴムリングの先端部を全周にわたって鍔部で保持することができるので、ゴムリングの捲れや位置ずれをより確実に防止することができる。
【００１０】
【発明の実施の形態】
以下、本発明の実施形態を図面を参照して説明する。
図１は本発明の防水コネクタ１０の実施形態を示し、合成樹脂製のコネクタハウジング１１と、このコネクタハウジング１１内に収容される端子金具Ｔと、端子金具Ｔを抜け止め保持するためのリテーナ２１と、嵌合すべき相手側コネクタ３１との間をシールするゴムリング４１とからなっている。
【００１１】
コネクタハウジング１１は、端子金具Ｔを収容可能な複数のキャビティ１２を内部に備えた内筒部１３を備えると共に、内筒部１３の外周方向を覆うフード部１４を備え、フード部１４と内筒部１３との間の間隙部１５を相手側コネクタ３１の外筒部３２の受け入れ空間としている。キャビティ１２の内壁部には端子金具Ｔの係止孔Ｔａに係合して端子金具Ｔを一次係止するための可撓性のランス１２ａを設けている。また、フード部１４の上面部には相手側コネクタ３１のロック爪３４と係合して嵌合状態を固定するためのロックアーム１６を備えている。また、キャビティ１２に収容される端子金具Ｔには電線Ｗの端末と、キャビティ１２の内周に密着するゴム栓Ｒを圧着している。
【００１２】
内筒部１３の外周基部には、ゴムリング４１を装着するための領域としてゴムリング装着部１３ａを設け、ゴムリング装着部１３ａから先端方の領域はリテーナ２１を装着するためのリテーナ装着部１３ｂとしている。リテーナ装着部１３ｂはゴムリング装着部１３ａより小径に設定することで両部位の境界部に段部１３ｃを形成している。
【００１３】
ゴムリング４１は図２に示すように、円環状のゴム部材かなり、外周には相手側コネクタ３１の外筒部３２の内面に弾性的に密着する３条の外面リップ部４１ａを周設すると共に、内周にはゴムリング装着部１３ａの外周に弾性的に密着する内面リップ部４１ｂを周設している。また、ゴムリング４１の先端部には内方へ一体的に屈曲された環状の保持片４１ｃを形成している。保持片４１ｃはゴムリング４１を内筒部１３のゴムリング装着部１３ａにゴムリング４１を装着したとき、段部１３ｃに係合してその周壁面に密着可能な位置に形成している。
【００１４】
リテーナ２１は合成樹脂製のキャップ状部材よりなり、内筒部１３のリテーナ装着部１３ｂの外周に嵌合して装着可能な胴部２１ａを備えている。リテーナ２１の前面には相手側コネクタ３１の雄端子３３を挿通可能な端子挿入孔２１ｂを備えている。またリテーナ２１の内面部にはランス１２ａの下方の撓み空間１２ｂに挿入されて、ランス１２ａの撓みを規制することにより端子金具Ｔを二重係止するための撓み規制片２１ｃを突設している。リテーナ２１の外径はゴムリング装着部１３ａの外径と略同一径に設定し、胴部２１ａの端面部をゴムリング４１の保持片４１ｃに対向して当接可能な押圧面２１ｄとしている。押圧面２１ｄの外周には、全周にわたって外周方向へ断面Ｌ状に突出して、ゴムリング４１の先端部外周を覆うように係合して先端部の捲れを防止するための鍔部２１ｅを形成している。
【００１５】
リテーナ２１はリテーナ装着部１３ｂに装着するに際し、撓み規制片２１ｃが撓み空間１２ｂ内に挿入される手前位置の仮係止位置（図１）と、更に押し込むことで撓み規制片２１ｃが撓み空間１２ｂ内に挿入される本係止位置（図３）へ移動可能とされている。リテーナ２１は、係止爪等による図示しない係止手段によって、仮係止位置と本係止位置に係止保持されるようになっている。
【００１６】
次に、上記構成からなる防水コネクタ１０の作用について説明する。
先ず、図１に示すように、内筒部１３のゴムリング装着部１３ａに対しゴムリング４１を装着し、密着させる。同時に、ゴムリング４１の先端の保持片４１ｃを段部１３ｃに密着させる。次いで、リテーナ装着部１３ｂに対しリテーナ２１を浅い装着位置である仮係止位置に装着する。この状態で、キャビティ１２内に端子金具Ｔを挿入し、ランス１２ａにより端子金具Ｔを一次係止する。
【００１７】
次いで、図３に示すように、リテーナ２１を本係止位置まで更に押し込むと、撓み規制片２１ｃがランス１２ａの撓み空間１２ｂ内に挿入されることでランス１２ａの撓みが規制され、端子金具Ｔが二重係止される。これに伴い、内筒部１３の段部１３ｃに係合していた保持片４１ｃがリテーナ２１の押圧面２１ｄで押圧されることによって保持片４１ｃは段部１３ｃと押圧面２１ｄとの間で挟持される。これにより、相手側コネクタ３１との嵌合時にゴムリング４１に対しこじりが生じてもゴムリング４１の先端部が捲れるのを防止できる。
【００１８】
次に、図４に示すように、相手側コネクタ３１を嵌合すると、相手側コネクタ３１の外筒部３２が内筒部１３とフード部１４との間の間隙部１５に挿入される。このとき、外筒部３２の挿入に伴ってゴムリング４１の外面リップ部４１ａと外筒部３２の内周面とが弾性的に接触し、両者間がシールされる。相手側コネクタ３１との嵌合時にフード部１４が間隙部１５内に真っ直ぐに挿入される状況においては、ゴムリング４１の全周に対し均等に接触押圧力が作用するため、ゴムリング４１はこじれることなく位置ずれ等を生じることはない。
【００１９】
一方、図５に示すように、相手側コネクタ３１が傾いた状態で挿入されると、ゴムリング４１の一部が外筒部３２の先端部に突き上げられるようにして押圧される。しかしながら、ゴムリング４１の先端の保持片４１ｃがリテーナ２１と段部１３ｃとの間に挟持されているので、ゴムリング４１の先端が捲れ上がって位置ずれするのを防止できる。更に、リテーナ２１先端の鍔部２１ｅによってゴムリング４１の先端部が覆われているので、ゴムリング４１の先端の捲れ防止効果をより一層高めることができる。
【００２０】
なお、上記実施形態においては、ゴムリング４１の保持片４１ｃおよびリテーナ２１の押圧面２１ｄ、鍔部２１ｅが全周にわたって形成されている例を示したが、複数箇所の分割された部分的なものであってもよい。更に、リテーナ２１は、鍔部２１ｅを備えず、押圧面２１ｄのみからなる形状としてもよい。
【００２１】
【発明の効果】
以上の説明より明らかなように、本発明では、ゴムリングの先端部に設けた保持片を内筒部の段部とリテーナ先端の押圧面との間で挟持するようにしているので、相手側コネクタとの嵌合時におけるゴムリング先端部の捲れを防止できる。よって、ゴムリングの捲れに起因する防水性低下のおそれのない防水コネクタを提供することができる。
【図面の簡単な説明】
【図１】本発明の防水コネクタの実施形態を示し、リテーナの仮係止状態の断面図である。
【図２】ゴムリングの断面図である。
【図３】リテーナを本係止位置へ移動した状態の断面図である。
【図４】相手側コネクタとの嵌合状態を示す断面図である。
【図５】相手側コネクタとの嵌合途中における要部の拡大図である。
【図６】従来例を示し、（Ａ）は防水コネクタの嵌合状態の断面図、（Ｂ）はゴムリングの断面図、（Ｃ）は相手側コネクタとの嵌合途中における要部の拡大図である。
【符号の説明】
１０    防水コネクタ
１１    コネクタハウジング
１２    キャビティ
１３    内筒部
１３ａ  ゴムリング装着部
１３ｃ  段部
１４    フード部
１５    間隙部
２１    リテーナ
２１ａ  胴部
２１ｄ  押圧面
２１ｅ  鍔部
３１    相手側コネクタ
３２    外筒部
４１    ゴムリング
４１ａ  外面リップ部
４１ｃ  保持片
Ｔ      端子金具
【図１】
2004241155.tif 000003
【図２】
2004241155.tif 000004
【図３】
2004241155.tif 000005
【図４】
2004241155.tif 000006
【図５】
2004241155.tif 000007
【図６】
2004241155.tif 000008